(57)【要約】【課題】インボリュート通路を構成する隔壁の変形を防止し、空気清浄効率を維持する。【解決手段】本体１０の内部に配設したファン５６により外気を吸引し、その吸引した空気をフィルタ６４を通して清浄した後、その清浄空気を外部に循環供給する空気清浄機において、前記本体１０は、前記ファン５６を内部に配設する内ケースと、該内ケースの少なくとも前後面を覆う外カバーとを備え、これら内ケースと外カバーとの間に前記フィルタ６４Ａ，６４Ｂを配設したもので、前記内ケースは、前記ファン５６のインボリュート通路３１を構成する隔壁部１８，２７をそれぞれ突出させた一対の分割ケース１１，２１からなる構成としている。【選択図】図１
2005337566.tif 000002
【特許請求の範囲】
【請求項１】
本体内部に配設したファンにより外気を吸引し、その吸引した空気をフィルタを通して清浄した後、その清浄空気を外部に循環供給する空気清浄機において、
前記本体は、前記ファンを内部に配設する内ケースと、該内ケースの少なくとも前後面を覆う外カバーとを備え、これら内ケースと外カバーとの間に前記フィルタを配設したもので、
前記内ケースは、前記ファンのインボリュート通路を構成する隔壁部をそれぞれ突出させた一対の分割ケースからなることを特徴とする空気清浄機。
【請求項２】
一対の分割ケースにおける各隔壁部の先端を、前記ファンの厚さ方向の略中央でオーバーラップさせていることを特徴とする請求項１に記載の空気清浄機。
【請求項３】
前記ファンは、円環状をなすベースと、該ベースと直交方向に突出する複数の羽根部と、前記ベースの中心に位置するモータ取付部と、前記ベースとモータ取付部とを連結する連結部とを備え、軸方向の前後から空気を吸引可能としたシロッコファンからなり、
前記分割ケースに、それぞれ前記隔壁部内に位置するように通気孔を設けるとともに、その表面にそれぞれフィルタ配設部を設けたことを特徴とする請求項１または請求項２に記載の空気清浄機。
【請求項４】
前記外カバーは、前記内ケースの前面から両側面にかけて覆う前面カバーと、前記内ケースの後面から両側面にかけて覆う後面カバーとを備え、各カバーの前面閉塞部および後面閉塞部にそれぞれ吸気孔を設けるとともに、各カバーの側面閉塞部のうち少なくとも一方に切欠部を設け、前後の吸気孔および左右の切欠部から外気を吸引可能としたことを特徴とする請求項１乃至請求項３のいずれか１項に記載の空気清浄機。
【発明の詳細な説明】
【技術分野】
【０００１】
本発明は、空気清浄機に関するものである。
【背景技術】
【０００２】
本発明の空気清浄機に関連する先行技術文献情報としては次のものがある。
【０００３】
【特許文献１】特開２００３−３４３８８６号公報
【０００４】
この特許文献１では、本体ケースと、該本体ケースの前面を覆う前面カバーと、前記本体ケースの後面を覆う後面カバーとを備えた空気清浄機が提供されている。この空気清浄機は、前記本体ケースに仕切壁が設けられ、この仕切壁からインボリュート通路を構成する隔壁が突設され、その内部に軸方向の前後から吸引可能なシロッコファンが配設されている。また、本体ケースには、その前面と側面に位置するようにフィルタが配設されている。または、前面と後面に位置するようにフィルタが配設されている。そして、前記本体には、その前面、後面および両側面に吸気孔が設けられ、四方から外気を吸引可能に構成されている。吸引された外気は、いずれかのフィルタを通過して清浄された後、その清浄空気がシロッコファンの前後からインボリュート通路内に流入して、外部に循環供給される。
【０００５】
しかし、この特許文献１の空気清浄機では、隔壁を最低でもシロッコファンの厚さに約１０ｍｍを加えた突出長さで突出させる必要があるため、製造時の誤差や使用時の熱により、変形が生じ易くなるという問題がある。そして、前記隔壁に変形が生じた場合には、シール性能が低下し、インボリュート通路に隙間が生じることになるため、空気の清浄効率も低下するという不都合がある。
【発明の開示】
【発明が解決しようとする課題】
【０００６】
そこで、本発明では、インボリュート通路を構成する隔壁の変形を防止し、空気清浄効率を維持できる空気清浄機を提供することを課題とするものである。
【課題を解決するための手段】
【０００７】
前記課題を解決するため、本発明の空気清浄機は、本体内部に配設したファンにより外気を吸引し、その吸引した空気をフィルタを通して清浄した後、その清浄空気を外部に循環供給する空気清浄機において、前記本体は、前記ファンを内部に配設する内ケースと、該内ケースの少なくとも前後面を覆う外カバーとを備え、これら内ケースと外カバーとの間に前記フィルタを配設したもので、前記内ケースは、前記ファンのインボリュート通路を構成する隔壁部をそれぞれ突出させた一対の分割ケースからなる構成としている。
【０００８】
この空気清浄機では、一対の分割ケースにおける各隔壁部の先端を、前記ファンの厚さ方向の略中央でオーバーラップさせることが好ましい。
【０００９】
また、前記ファンは、円環状をなすベースと、該ベースと直交方向に突出する複数の羽根部と、前記ベースの中心に位置するモータ取付部と、前記ベースとモータ取付部とを連結する連結部とを備え、軸方向の前後から空気を吸引可能としたシロッコファンからなり、前記分割ケースに、それぞれ前記隔壁部内に位置するように通気孔を設けるとともに、その表面にそれぞれフィルタ配設部を設けることが好ましい。
【００１０】
さらに、前記外カバーは、前記内ケースの前面から両側面にかけて覆う前面カバーと、前記内ケースの後面から両側面にかけて覆う後面カバーとを備え、各カバーの前面閉塞部および後面閉塞部にそれぞれ吸気孔を設けるとともに、各カバーの側面閉塞部のうち少なくとも一方に切欠部を設け、前後の吸気孔および左右の切欠部から外気を吸引可能とすることが好ましい。
【発明の効果】
【００１１】
本発明の空気清浄機では、前記本体は、前記ファンを内部に配設する内ケースと外カバーとを備え、前記内ケースは、清浄空気を外部に供給するとともに前記ファンを配設するインボリュート通路を構成する隔壁部を一対の分割ケースから突設した構成としているため、隔壁部の突出長さを小さくすることができる。そのため、製造誤差や、使用による変形が生じることを大幅に抑制することができ、空気の清浄効率の低下も抑制できる。
【００１２】
また、一対の分割ケースにおける各隔壁部の先端を、前記ファンの厚さ方向の略中央でオーバーラップさせる構成としているため、シール性能を高めることができ、空気の清浄効率を向上することができる。さらに、ファンは、軸方向の前後から空気を吸引可能としたシロッコファンからなるため、外気の吸引効率を高めることができ、その結果、空気の清浄効率を更に向上することができる。さらにまた、外カバーは、前面カバーと後面カバーとを備え、これらカバーに形成した前後の吸気孔と、左右の切欠部から外気を吸引可能としているため、外気の吸引効率を高めることができ、その結果、空気の清浄効率を更に一層向上することができる。
【発明を実施するための最良の形態】
【００１３】
以下、本発明の実施の形態を図面に従って説明する。
【００１４】
図１および図２は、本発明の実施形態に係る空気清浄機を示す。この空気清浄機は、大略、本体１０と、ファン５６と、フィルタ６４Ａ，６４Ｂとからなり、前記ファン５６により外気を吸引し、その吸引した空気をフィルタ６４Ａ，６４Ｂを通して清浄した後、その清浄空気を外部に循環供給するものである。
【００１５】
前記本体１０は、図１および図３に示すように、ファン５６を内部に収容するとともに前記フィルタ６４Ａ，６４Ｂを前後両面に配設する一対の分割ケース１１，２１からなる内ケースと、該内ケースの表面を覆う一対の前後のカバー３４，４０からなる外カバーと、清浄空気の吹出口を覆うトップカバー４８とからなり、これらは全て合成樹脂によって形成されている。
【００１６】
内ケースを構成する前側分割ケース１１は、垂直方向に延びる前壁部１２を備え、該前壁部１２の上端に操作基板１３を配設する基板配設部１４を設けるとともに、下端に設置用の第１台座部１５を形成したものである。前記基板配設部１４および第１台座部１５は、前壁部１２に対して前後方向に突出するように設けられ、その突出部分により前壁部１２の表（外）面に、フィルタ６４Ａを配設するための第１フィルタ配設部１６が形成されている。この第１フィルタ配設部１６は、フィルタ６４Ａを配設した状態で、前壁部１２との間に所定の隙間が形成されるようにフィルタ６４Ａを位置決めする段部１７が形成されている。
【００１７】
また、前記前壁部１２の内側面（後面）には、清浄空気を外部に供給するとともに前記ファン５６を配設するインボリュート通路３１を構成する第１隔壁部１８が突設されている。さらに、前記前壁部１２には、前記第１隔壁部１８内に位置するように、複数の第１通気孔１９が設けられている。さらにまた、前記基板配設部１４の上側には、トップカバー４８を嵌め込んで固定するために、断面略Ｃ字形状をなす第１嵌合部２０が設けられている。
【００１８】
内ケースを構成する後側分割ケース２１は、前記前側分割ケース１１と略前後対称な構成のものである。具体的には、この後側分割ケース２１は、垂直方向に延びる後壁部２２を備え、該後壁部２２の上端に持ち運び用の把持凹部２３を設けるとともに、下端に設置用の第２台座部２４を形成したものである。前記把持凹部２３および第２台座部２４は、後壁部２２に対して前後方向に突出するように設けられ、その突出部分により後壁部２２の表（外）面に、フィルタ６４Ｂを配設するための第２フィルタ配設部２５が形成されている。この第２フィルタ配設部２５は、フィルタ６４Ｂを配設した状態で、後壁部２２との間に所定の隙間が形成されるようにフィルタ６４Ｂを位置決めする段部２６が形成されている。
【００１９】
また、前記後壁部２２の内側面（前面）には、清浄空気を外部に供給するとともに前記ファン５６を配設するインボリュート通路３１を構成する第２隔壁部２７が突設されている。さらに、前記後壁部２２には、前記第２隔壁部２７内に位置するように、複数の第２通気孔２８が設けられている。さらにまた、前記基板配設部１４の上側には、トップカバー４８を嵌め込んで固定するために第２嵌合部２９が設けられている。
【００２０】
前記分割ケース１１，２１の各隔壁部１８，２７は、上端開口の渦巻き状のもので、それぞれファン５６の厚さ方向の略中央まで延びる寸法で突出されている。そして、図１に示すように、各隔壁部１８，２７の先端縁には、互いにオーバーラップして係合する係合部３０ａ，３０ｂが設けられている。これら分割ケース１１，２１は、ネジ止めにより互いに組み付けられることにより、前記隔壁部１８，２７で１つのインボリュート通路３１を形成するように構成されている。なお、図３中、３２ａ，３２ｂは、後述する前面カバー３４および後面カバー４０を固定部材３３を介して固定するための固定穴である。
【００２１】
外カバーを構成する前面カバー３４は、前記内ケースの前面から両側面にかけて覆うもので、その前面閉塞部３５には、内向きに窪む第１凹部３６が設けられ、この第１凹部３６の上面に室内の空気（外気）を吸引する第１吸気孔３７を設けたものである。この前面カバー３４の前側面閉塞部３８は、前面閉塞部３５の上端から後向きに傾斜する略直角三角形状をなし、その後側下部には、前記固定部材３３を係合するための第１固定孔３９が設けられている。
【００２２】
外カバーを構成する後面カバー４０は、前記内ケースの後面から両側面にかけて覆うもので、その後面閉塞部４１には、内向きに窪む第２凹部４２が設けられ、この第２凹部４２の上面に室内の空気を吸引する第２吸気孔４３を設けたものである。また、この後面閉塞部４１には、前記把持凹部２３に対応する開口部４４が設けられている。この後面カバー４０の後側面閉塞部４５は、その上下縁が前記前面カバー３４の前側面閉塞部３８の上下縁と当接し、その間に切欠部４６を設けた形状をなし、その前側下部には、前記固定部材３３を係合するための第２固定孔４７が設けられている。
【００２３】
これらカバー３４，４０は、図２および図４に示すように、固定部材３３を介して前記内ケースに組み付けると、前後の吸気孔３７，４３および左右の切欠部４６，４６から外気を吸引することができる。
【００２４】
前記トップカバー４８は、前記分割ケース１１，２１を組み付けることにより形成されるインボリュート通路３１の上端である清浄空気の吹出口を覆うもので、図３に示すように、カバー本体４９と、該カバー本体４９内に着脱可能に配設する放散部材５３と、該放散部材５３を覆うようにカバー本体４９に着脱可能に取り付ける放散部材カバー５４とからなる。
【００２５】
前記カバー本体４９は、前記内ケースを構成する分割ケース１１，２１を組み付けた状態の上端形状と略同一のもので、その下端縁には前記嵌合部２０，２９に嵌合される凸部５０が設けられている。また、このカバー本体４９の上部中央には、放散部材５３を配設するとともに、放散部材カバー５４を係合する取付部５１が設けられ、その両側には格子状吹出部５２が設けられている。
【００２６】
前記放散部材５３は、前記取付部５１内に配置され、インボリュート通路３１から室内に循環供給される清浄空気により、室内にビタミンやカテキンを一緒に供給するためのもので、これらの成分を樹脂材料に含有させて形成した格子状のものである。
【００２７】
前記放散部材カバー５４は、前記取付部５１の上面を覆う格子状の枠体からなる。この放散部材カバー５４の両側には、前記取付部５１へのロック部５５が設けられている。
【００２８】
前記ファン５６は、駆動手段であるモータ５７により回転されるもので、図１および図５（Ａ），（Ｂ），（Ｃ）に示すように、円環状をなすベース５８と、該ベース５８と直交する方向に突出する複数の羽根部５９と、前記ベース５８の中心に位置するモータ取付部６０と、前記ベース５８とモータ取付部６０とを連結する連結部６１とを備えたシロッコファンからなる。前記羽根部５９の下端は、リング状のフランジ部６２により連結されている。前記ベース５８とモータ取付部６０とは、羽根部５９の延び方向であるファン５６の軸方向に沿って所定間隔をもって位置し、連結部６１は、これらを連結するためにファン５６の軸方向に沿って湾曲するとともに、モータ５７による回転方向に沿って湾曲した形状をなす。そして、この連結部６１には、送風用のフィンを構成するために、両面からリブ６３ａ，６３ｂが突設されている。
【００２９】
このように構成したファン５６は、前記モータ５７によって回転されると、羽根部５９によってその内部の空間に位置する空気を直径方向外向きに送出する。これにより、主に広く開口した開口端（フランジ部６２内）から空気が羽根部５９により囲まれた空間内に流入する。また、連結部６１および該連結部６１に設けたリブ６３ａ，６３ｂによってベース５８の軸方向外側に位置する空気を掻き切ることにより、その外部の空気を前記羽根部５９で囲まれた内部に向けて送風する。即ち、この連結部６１は、ベース５８とモータ取付部６０とを連結する目的のみならず、第２の羽根部の役割をなす。そのため、図１におけるファン５６の軸方向両側（前後両側）から空気を内部に流入させ、その空気をインボリュート通路３１を通して上側の吹出口から室内に送出できる。
【００３０】
前記フィルタ６４Ａ，６４Ｂは、それぞれ一対の集塵フィルタ６５と脱臭フィルタ６６とからなる。集塵フィルタ６５は、０．３μｍの微粒子に対して９９．９７％以上の初期集塵効率を備えたＨＥＰＡ（High Efficiency Particulate Air)フィルタからなる。脱臭フィルタ６６は、基材に活性炭を含有させた活性炭フィルタからなる。
【００３１】
このように構成した空気清浄機では、前記本体１０は、前記ファン５６を内部に配設する内ケースと外カバーとを備え、前記内ケースは、インボリュート通路３１を構成する隔壁部１８，２７を一対の分割ケース１１，２１から突設した構成としているため、各隔壁部１８，２７の突出長さを小さくすることができる。そのため、製造誤差や、使用による変形が生じることを大幅に抑制することができ、空気の清浄効率の低下も抑制できる。言い換えれば、この種の空気清浄機において、清浄効率を向上させるには大型のファン５６を使用するのが好適であるが、この場合にはインボリュート通路３１を構成する隔壁の突出長さが大きくなり、変形の問題が生じ易くなる。しかし、本実施形態では、大型のファン５６を用いても、このような問題が生じることを防止できる。
【００３２】
また、一対の分割ケース１１，２１における各隔壁部１８，２７の先端を、前記ファン５６の厚さ方向の略中央でオーバーラップさせる構成としているため、シール性能を高めることができ、空気の清浄効率を向上することができる。
【００３３】
なお、前記空気清浄機は、商用電源に接続して空気清浄動作を開始すると、ファン５６が回転し、図２に示すように、空気清浄機の前方の空気は、前面カバー３４の第１吸気孔３７から本体１０内に吸引され、後方の空気は、後面カバー４０の第２吸気孔４３から本体１０内に吸引され、左右側方の空気は、切欠部４６から本体１０内部に吸引される。
【００３４】
そして、前面カバー３４の第１吸気孔３７から吸引された空気は、前方のフィルタ６４Ａを通過することにより清浄され、分割ケース１１，２１内のインボリュート通路３１内に至る。また、後面カバー４０の第２吸気孔４３から吸引された空気は、後方のフィルタ６４Ｂを通過することにより清浄され、分割ケース１１，２１内のインボリュート通路３１内に至る。さらに、両側の切欠部４６から吸引された空気は、一部が分割ケース１１，２１の前方へ迂回して前方のフィルタ６４Ａを通過することにより清浄されてインボリュート通路３１内に至り、残りが分割ケース１１，２１の後方へ迂回して後方のフィルタ６４Ｂを通過することにより清浄されてインボリュート通路３１内に至る。
【００３５】
このようにして、インボリュート通路３１内に流入した清浄空気は、ファン５６の羽根部５９で囲まれた内部から外向きに送出され、インボリュート通路３１に従って上端の吹出口から室内に循環供給される。この際、前記放散部材５３内を通過する清浄空気により、該放散部材５３に含有されたビタミンやカテキンが一緒に室内に供給（放散）される。
【００３６】
このように、本実施形態では、ファン５６は、軸方向の前後から空気を吸引可能としたシロッコファンからなるため、外気の吸引効率を高めることができ、その結果、空気の清浄効率を更に向上することができる。しかも、外カバーは、前面カバー３４と後面カバー４０とを備え、これらカバー３４，４０に形成した前後の吸気孔３７，４３と、左右の切欠部４６，４６から外気を吸引可能としているため、外気の吸引効率を高めることができ、その結果、空気の清浄効率を更に一層向上することができる。
【００３７】
なお、本発明の空気清浄機は、前記実施形態の構成に限定されるものではなく、種々の変更が可能である。
【００３８】
例えば、前記実施形態では、一対の分割ケース１１，２１における各隔壁部１８，２７の先端に、前記ファン５６の厚さ方向の略中央でオーバーラップして係合する係合部３０ａ，３０ｂを設けたが、各隔壁部１８，２７は互いに係合せずに、互い面接触するように単にオーバーラップさせた構成としてもよい。
【００３９】
また、前記実施形態では、ファン５６として前後から吸引可能なシロッコファンを用い、各分割ケース１１，２１にも前後の壁に各通気孔１９，２８を設けたが、一方の開口端からのみ吸引可能なシロッコファンを用い、通気孔も前方のみに設けた構成としても、前記と同様の作用および効果を得ることができる。この場合、外気を吸引する吸気孔も対応する壁にのみ設ければよい。
【図面の簡単な説明】
【００４０】
【図１】本発明の実施形態に係る空気清浄機を示す縦断面図である。
【図２】図１の横断面図である。
【図３】空気清浄機の分解斜視図である。
【図４】組立状態の空気清浄機の斜視図である。
【図５】シロッコファンを示し、（Ａ）は正面図、（Ｂ）は断面図、（Ｃ）は背面図である。
【符号の説明】
【００４１】
１０…本体                              １１…前側分割ケース
１２…前壁部                            １８…第１隔壁部
１９…第１通気孔                        ２１…後側分割ケース
２２…後壁部                            ２７…第２隔壁部
２８…第２通気孔                        ３０ａ，３０ｂ…係合部
３１…インボリュート通路                ３４…前面カバー
３５…前面閉塞部                        ３７…第１吸気孔
４０…後面カバー                        ４１…後面閉塞部
４３…第２吸気孔                        ４８…トップカバー
５６…ファン                            ５７…モータ
５８…ベース                            ５９…羽根部
６０…モータ取付部                      ６１…連結部
６３ａ，６３ｂ…リブ                    ６４Ａ，６４Ｂ…フィルタ
【図１】
2005337566.tif 000003
【図２】
2005337566.tif 000004
【図３】
2005337566.tif 000005
【図４】
2005337566.tif 000006
【図５】
2005337566.tif 000007